(57)【要約】【課題】フィルムの端部を折り返したり、あるいはフィルム端部の間に別のフィルムを挟んだりして溶着することなく、ラミネートフィルムに重ねて形成した綴じ代に閉じ穴を形成することにより綴じ穴が破れにくく、且つ折れ曲がりにくくて書類を出し入れし易い綴じ穴付袋状ファイルを提供する。【解決手段】  フィルム１ａ又はラミネートフィルム１とラミネートフィルム２が重ねられて上辺に開口部３が形成され、開口部３を除く側辺４，５及び底辺６の三方が閉じられて袋状の書類収納部７が形成されるとともに、重ねて形成した端部の綴じ代９に綴じ穴１０が形成されている綴じ穴付袋状ファイル。ラミネートフィルムは、ＯＰＰとＣＰＰを積層した２層のラミネートフィルムが適している。また、ラミネートフィルムの厚さは５０〜２００μｍが好ましい。【選択図】図１
2008000906.tif 000002
【特許請求の範囲】
【請求項１】
上下にフィルムが重ねられて少なくともひとつの開口部が形成され、開口部を除く側辺及び底辺の三方が閉じられて袋状の書類収納部が形成されるとともに、フィルムを重ねて形成した綴じ代に綴じ穴が形成されている綴じ穴付袋状ファイルにおいて、前記上下のフィルムの少なくとも一方のフィルムがラミネートフィルムであることことを特徴とする綴じ穴付袋状ファイル。
【請求項２】
ラミネートフィルムが二軸延伸ポリプロピレンと無延伸ポリプロピレンを積層したラミネートフィルムであることを特徴とする請求項１記載の綴じ穴付袋状ファイル。
【請求項３】
ラミネートフィルム及びフィルムの弾性率が６５０〜１７００ＭＰａであることを特徴とする請求項１又は２記載の綴じ穴付袋状ファイル。
【請求項４】
ラミネートフィルム及びフィルムの厚さが５０〜２００μｍであることを特徴とする請求項１、２又は３記載の綴じ穴付袋状ファイル。
【発明の詳細な説明】
【技術分野】
【０００１】
本発明は、書類などを収納し、バインダーに綴じることができる綴じ穴付袋状ファイルに関する。
【背景技術】
【０００２】
袋状ファイルは、一枚の熱溶着性合成樹脂フィルムの一端が開放され、三方が閉じられた袋状に形成し、一側縁に帯状の綴じ代を熱溶着により形成し、綴じ代に綴り穴が形成される。袋状ファイルは、袋状ファイル内に書類を収納し、綴り穴により綴り具で綴じられる。この袋状ファイルは、綴じ代が弱いため綴り穴から破れるという欠点があるため、綴じ代を補強した袋状ファイルが提案されている。
【０００３】
例えば、特許文献１には、書類収納用ホルダーの１側部において袋状ファイルを形成する合成樹脂製のフィルムの端部を折り返して３層乃至４層構造とし、この３層乃至４層構造の部分に綴じ代となる融着部を形成し、この綴じ代に適当な間隔をおいてファイル用手段として綴り穴を形成した袋状ファイルが開示されている。
【０００４】
また、図６に示すように、方形状で扁平な袋状ファイルを熱溶着性合成樹脂フィルム１５で形成し、一側縁に帯状の綴じ代１６を形成した袋状ファイルにおいて、綴じ代１６を、袋状ファイルの表裏面を構成する２枚の熱溶着性合成樹脂フィルム１５の間に１枚以上の帯状の熱溶着性合成樹脂フィルム１７を挟んで溶着一体化して収納部１８と綴じ代１６に綴じ穴１９を形成した袋状ファイルが開示されている（特許文献２参照）。
【特許文献１】特開２０００−１５８８６５号公報
【特許文献２】特開２００２−２５４８７０号公報
【発明の開示】
【発明が解決しようとする課題】
【０００５】
前記特許文献１の袋状ファイルでは、綴じ穴が破れにくい強度のある綴じ代を形成するのに合成樹脂製のフィルムの端部を折り返して３層乃至４層にして溶着する必要があるので、綴じ代の形成に手間が掛かるという問題がある。
【０００６】
また、前記特許文献２の袋状ファイルでも、綴じ穴が破れにくい強度のある綴じ代を形成するのに２枚の熱溶着性合成樹脂フィルムの間に１枚以上の帯状の熱溶着性合成樹脂フィルムを挟んで溶着一体化する必要があるので、前記特許文献１の袋状ファイルと同様に綴じ代の形成に手間が掛かるという問題がある。
【０００７】
また、前記特許文献１及び２の袋状ファイルでは、収納部が単体のフィルムにより形成されているので、柔らかくて剛性がないために折れ曲がって平面状に保持しにくいので、収納部へ書類が入れにくく、また、硬い書類の場合、書類の収納中に書類の角で破れる場合があった。
【０００８】
そこで、本発明は、フィルムの端部を折り返したり、あるいはフィルム端部の間に別のフィルムを挟んだりして溶着することなく、ラミネートフィルムの端部に重ねて形成した綴じ代に綴じ穴を形成することにより綴じ穴が破れにくく、且つ折れ曲がりにくくて書類が出し入れし易い綴じ穴付袋状ファイルを提供するものである。
【課題を解決するための手段】
【０００９】
本発明の綴じ穴付袋状ファイルは、上下にフィルムが重ねられて少なくともひとつの開口部が形成され、開口部を除く側辺及び底辺の三方が閉じられて袋状の書類収納部が形成されるとともに、フィルムを重ねて形成した綴じ代に綴じ穴が形成されている綴じ穴付袋状ファイルにおいて、前記上下のフィルムの少なくとも一方のフィルムがラミネートフィルムであることを特徴とする。
【００１０】
本発明の袋状ファイルに使用するラミネートフィルムは、同質のフィルムを積層したものは破れやすいので種類の異なる、剛性（腰）を有するフィルムと強度のある軟らかいフィルムを積層させたものから選択することが好ましい。例えば、二軸延伸ポリプロピレン（ＯＰＰ）とアイオノマー（ＩＯ）又はポリビニルアルコール、ポリエステル（ＰＥＴ）とＩＯを組み合わせたもの、特に、剛性のあるＯＰＰと無延伸ポリプロピレン（ＣＰＰ）を組み合わせて積層したラミネートフィルムが適度な強度と剛性が得られる。なお、ＯＰＰどうしは溶着強度が低いので、溶着強度を高くするためにＣＰＰどうしを向かい合わせて袋の内側となるように重ねて溶着する。
【００１１】
ラミネートフィルムは、強度と剛性の目安となる弾性率が６５０〜１７００ＭＰａのものでは綴じ孔が破れにくく、書類の出し入れがし易い適度な剛性が得られる。また、強度のあるラミネートフィルムを使用することにより、綴じ孔を従来の綴じ孔の位置よりも側縁に近い位置に形成することができ、その結果、収納部の幅を大きくすることができるので、書類の出し入れがよりし易くなる。
【００１２】
また、ラミネートフィルム及びフィルムの厚さは、薄すぎると剛性が不足し、厚すぎるとファイルが厚くなり過ぎるので、５０〜２００μｍが好ましい。
【００１３】
また、ＯＰＰとＣＰＰのラミネートフィルムは透明であるが、袋状ファイルの用途などから、表面に必要に応じて収納する書類内容の記入欄を印刷したり、見映えをよくするために模様を印刷したりしてもよい。
【発明の効果】
【００１４】
本発明の綴じ穴付袋状ファイルは、ラミネートフィルムの綴じ代に綴じ穴を設けるので、綴じ穴の周囲の強度が高く破れにくい綴じ穴を形成することができる。
【００１５】
また、本発明の綴じ穴付袋状ファイルは、剛性のあるラミネートフィルムで形成されるために書類の出し入れの際に折れ曲がりにくいので、書類の出し入れをスムーズに行うことができる。
【００１６】
また、本発明の綴じ穴付袋状ファイルは、ラミネートフィルムの端部に綴じ代が形成されるため、従来のようなフィルムの端部を折り返したり、あるいはフィルム端部の間に別のフィルムを挟んだりして溶着する面倒な工程を必要としないので、手間を掛けずに簡単な工程で製造することができる。
【発明を実施するための最良の形態】
【００１７】
本発明の綴じ穴付袋状ファイル（以下「袋状ファイル」という。）について図面を用いて説明する。
【実施例１】
【００１８】
図１（ａ）は本発明の袋状ファイルの正面図、（ｂ）は（ａ）のＡ−Ａの概略断面図である。
【００１９】
図１（ａ），（ｂ）において、袋状ファイルは、上面のラミネートフィルム１と下面のラミネートフィルム２が、上辺に開口部３を形成するように重ねられ、開口部３を除く周囲の側辺４，５及び底辺６の三方が閉じられた袋状の収納部７が形成される。本実施例では、ラミネートフィルム１，２は、弾性率が１５３３．３ＭＰａ、厚さが６０μｍのＯＰＰと６０μｍのＣＰＰを積層したものであり、溶着強度を上げるためにＣＰＰどうしが向かい合うように重ねられる。
【００２０】
図１（ａ），（ｂ）に示す袋状ファイルでは、１枚のラミネートフィルムを底辺６で折り曲げて形成した上面のラミネートフィルム１と下面のラミネートフィルム２の上辺の開口部３を除いて両側辺４，５を溶着したシール部８により閉じて袋状の収納部７を形成したものである。
【００２１】
開口部３は、本実施例のように書類の出し入れの際に開口部３を開き易いように開口部３の上縁の位置をずらして段違いにしているが、あるいは上縁の中央に切り欠きを設けたりしてもよい。
【００２２】
一方の側辺５は綴じ代９とし、ここに複数の綴じ穴１０を開ける。なお、綴じ穴１０の数は、綴じリング用に一穴、バインダー１１に固定された綴じ具１２の綴じ杆１３（図４参照）にあわせて二本の綴じ杆用に二穴、複数綴じ杆用に多穴、あるいはこれらを組み合わせて綴じ穴１０の径を変えて各種のバインダーの綴じ杆の間隔に対応し易いように形成してもよい。上下の面の綴じ穴１０の周囲は密着していないために上下の面が開いて間隔が形成されるので、書類の出し入れがし易くなる。また、綴じ孔を側縁に近い位置に形成することにより収納部の幅を大きくして、書類の出し入れをよりし易くできる。
【００２３】
次に、本発明の袋状ファイルの製造方法について説明する。
【００２４】
図２は本発明の袋状ファイルの製造方法を示す図である。
【００２５】
図２（ａ）に示すように、ＯＰＰ−ＣＣＰラミネートフィルムを巻いた二本のロールから巻き戻された二枚のラミネートフィルムをＣＰＰどうしが向かい合うように重ねる。本例の場合は、袋状ファイルの開口部３の上縁を段違いにするために、二枚のラミネートフィルム１，２の上縁をずらして重ねていく。
【００２６】
次いで、図２（ｂ）に示すように、袋状ファイルの底辺となる側を高周波シールでシール部８を形成してふさぐ。高周波シールにより大きい接着強度が得られる。
【００２７】
次いで、綴じ代９に綴じ穴１０を形成した後、袋状ファイルの両側辺となる部分を溶断機で溶着するとともにカットする。
【００２８】
こうして、図２（ｃ）に示すように、袋状ファイルができあがる。
【００２９】
図３は本発明の袋状ファイルの別の製造方法を示す図である。
【００３０】
図３（ａ）に示すように、長尺のラミネートフィルムを開口部３となる端部がずれるように二つ折りにして重ねる。
【００３１】
次いで、図３（ｂ）に示すように、綴じ代９に綴じ穴１０を形成し、次いで溶断機で袋状ファイルの両側辺４，５となる部分を溶着するとともに、カットする。
【００３２】
こうして、図３（ｃ）に示すように、袋状ファイルができあがる。
【００３３】
図４は本発明の袋状ファイルをバインダーに綴じた例を示す図である。
【００３４】
図４において、バインダー１１に固定された綴り具１２の綴じ杆１３を袋状ファイルの綴り穴１０に通してファイルする。袋状ファイルはラミネートフィルムで形成されているために強度と剛性を有するので、袋状ファイルが従来のファイルのように折れ曲がることがないので、書類１４を挿入する際にスムーズに挿入することができ、また、書類１４の角で袋状ファイルが破れたりすることをもなく、また、書類１４の出し入れの際に、袋状ファイルが引っ張られても綴じ穴１０が破れることがない。
【実施例２】
【００３５】
図１（ｃ）は本発明の別実施例の袋状ファイルの概略断面図である。
【００３６】
実施例１が上面及び下面のいずれもラミネートフィルムであるのに対して、上面又は下面のいずれか一方のみをラミネートフィルムとしてもよい。本実施例は、下面のみをラミネートフィルムとしたものである。本実施例の袋状ファイルは、弾性率８７３．４８ＭＰａ、厚さ６０μｍの上面のＣＰＰフィルム１と弾性率１５５３．６ＭＰａ、厚さ１２０μｍの下面のＯＰＰ−ＣＣＰラミネートフィルム２が、上辺に開口部３を形成するようにずらして重ねられ、開口部３を除く周囲の側辺４，５及び底辺６の三方が閉じられた袋状の収納部７が形成される。製造は、図２に示す製造方法で行う。
【実施例３】
【００３７】
図５は本発明の袋状ファイルおいて、複数の収納部を形成した例を示す図である。本実施例では、複数の収納部を形成することにより、クリスマスカードなどのカード類、年賀状等の葉書、写真などを複数収納して整理しやすくしたものである。
【００３８】
図５（ａ）に示す袋状ファイルは、上下２段に袋状の収納部７を形成したものであり、上段の底辺６ａは高周波シールにより形成し、側辺４，５は溶断機により溶着・切断してシールしたものである。製造方法は、例えば、実施例１と同じ弾性率及び厚みを有するＯＰＰ−ＣＣＰラミネートフィルムを巻いたロールから巻き戻された下面のラミネートフィルムと、ＯＰＰ−ＣＣＰラミネートフィルムを巻いた２本ロールから巻き戻された上面のラミネートフィルムを袋状ファイルの開口部３の上縁を段違いにするために、上面及び下面のラミネートフィルム１，２の上縁をずらして重ねていく。次いで、袋状ファイルの底辺６ａとなる側を高周波シールでふさぐ。次いで、綴じ代９に綴じ穴１０を形成した後、袋状ファイルの両側辺となる部分を溶断機で溶着するとともにカットする。
【００３９】
図５（ｂ）に示す袋状ファイルは、上段及び下段にそれぞれ二つの収納部を形成したものである。本実施例では、仕切５ａ、上段の底辺６ａを高周波シールでふさいだものである。仕切を設けて区画することにより、収納した年賀状や写真などがずれないようにすることができる。
【００４０】
なお、本実施例においても一方の面のみをラミネートフィルムとしてもよい。
【図面の簡単な説明】
【００４１】
【図１】（ａ）は本発明の袋状ファイルの正面図、（ｂ）は（ａ）のＡ−Ａの概略断面図、（ｃ）は別実施例の概略断面図である。
【図２】本発明の袋状ファイルの製造方法を示す図である。
【図３】本発明の袋状ファイルの別の製造方法を示す図である。
【図４】本発明の袋状ファイルをバインダーに綴じた例を示す図である。
【図５】本発明の袋状ファイルの別実施例を示す図である。
【図６】（ａ）は従来の袋状ファイルの正面図、（ｂ）は（ａ）のＢ−Ｂの概略断面図である。
【符号の説明】
【００４２】
１：上面のラミネートフィルム      １ａ：フィルム
２：下面のラミネートフィルム      ３：開口部
４：側辺                          ５：側辺
５ａ：仕切                        ６：底
６ａ：底辺                        ７：袋状の収納部
８：シール部                      ９：綴じ代  
１０：綴じ穴１１：バインダー      １２：綴り具１３：綴じ杆
１４：書類                        １５：熱溶着性合成樹脂フィルム
１６：綴じ代                      １７：熱溶着性合成樹脂フィルム  
１８：収納部                      １９：綴じ穴
【図１】
2008000906.tif 000003
【図２】
2008000906.tif 000004
【図３】
2008000906.tif 000005
【図４】
2008000906.tif 000006
【図５】
2008000906.tif 000007
【図６】
2008000906.tif 000008